(57)【要約】【課題】容易に端末装置の位置を特定すること。【解決手段】端末装置２００と通信する照明装置１００は、出力部１１０、受信部１２０、及び記憶部１３０を有する。記憶部１３０は、照明装置１００の位置情報を記憶する。出力部１１０は、照明装置１００の位置情報が含まれている可視光を出力する。受信部１２０は、照明装置１００の位置情報を受信した端末装置２００が出力した、端末装置２００を示す装置情報が含まれている赤外線を受信する。【選択図】図４
2019140062.tif 000002
【特許請求の範囲】
【請求項１】
端末装置と通信する照明装置であって、
前記照明装置の位置情報を記憶する記憶部と、
前記位置情報が含まれている可視光を出力する出力部と、
前記位置情報を受信した前記端末装置が出力した、前記端末装置を示す装置情報が含まれている赤外線を受信する受信部と、
を有する照明装置。
【請求項２】
第１の照明装置と通信する端末装置であって、
前記第１の照明装置が出力した、前記第１の照明装置の位置情報が含まれている第１の可視光を受信する受信部と、
前記第１の可視光を受信した場合、前記端末装置を示す装置情報が含まれている赤外線を前記第１の照明装置に出力する出力部と、
を有する端末装置。
【請求項３】
前記出力部は、前記第１の可視光を受信した場合、前記第１の照明装置の位置情報と前記装置情報とが含まれている赤外線を前記第１の照明装置に出力する、
請求項２に記載の端末装置。
【請求項４】
制御部をさらに有し、
前記受信部は、前記第１の照明装置を含む複数の照明装置のそれぞれが出力した、出力した照明装置の位置情報が含まれている可視光を受信し、
前記制御部は、前記複数の照明装置のそれぞれが出力した、出力した照明装置の位置情報が含まれている可視光の受信強度のうち、最も強い受信強度の可視光に含まれていた位置情報を前記端末装置が存在する位置と判定する、
請求項２又は３に記載の端末装置。
【請求項５】
前記受信部は、上を向く駆動機構を有する、
請求項２から４のいずれか１項に記載の端末装置。
【請求項６】
前記端末装置の周辺の環境状態を測定する環境測定部をさらに有し、
前記出力部は、前記環境測定部が測定した結果である環境情報が含まれている赤外線を前記第１の照明装置に出力する、
請求項２から５のいずれか１項に記載の端末装置。
【請求項７】
前記出力部は、定期的に前記環境情報が含まれている赤外線を前記第１の照明装置に出力する、
請求項６に記載の端末装置。
【請求項８】
入退場口における人又は物体の動線に基づいて設置されている前記第１の照明装置が出力した前記第１の可視光を前記受信部が受信した後に、前記入退場口から前記第１の照明装置よりも遠い位置に設置され、かつ前記動線に基づいて設置されている第２の照明装置が出力した、前記第２の照明装置の位置情報が含まれている第２の可視光を前記受信部が受信した場合、前記端末装置を装着している人又は物体が入場したと判定する制御部をさらに有する、
請求項２に記載の端末装置。
【請求項９】
前記制御部は、前記第２の可視光を前記受信部が受信した後に、前記第１の可視光を前記受信部が受信した場合、前記端末装置を装着している人又は物体が退場したと判定する、
請求項８に記載の端末装置。
【請求項１０】
端末装置と、前記端末装置と通信する照明装置とが実行する位置特定方法であって、
前記照明装置が、
前記照明装置の位置情報が含まれている可視光を出力し、
前記端末装置が、
前記可視光を受信し、
前記端末装置を示す装置情報が含まれている赤外線を前記照明装置に出力し、
前記照明装置が、
前記赤外線を受信する、
位置特定方法。
【請求項１１】
端末装置と、
前記端末装置と通信する照明装置と、
を含み、
前記照明装置は、
前記照明装置の位置情報を記憶する記憶部と、
前記位置情報が含まれている可視光を出力する出力部と、
前記位置情報を受信した前記端末装置が出力した、前記端末装置を示す装置情報が含まれている赤外線を受信する受信部と、
を有し、
前記端末装置は、
前記可視光を受信する受信部と、
前記可視光を受信した場合、前記赤外線を前記照明装置に出力する出力部と、
を有する、
位置特定システム。
【請求項１２】
監視装置をさらに含み、
前記照明装置は、前記位置情報と前記装置情報とを前記監視装置に送信する、
請求項１１に記載の位置特定システム。
【発明の詳細な説明】
【技術分野】
【０００１】
本発明は、照明装置、端末装置、位置特定方法、及び位置特定システムに関する。
【背景技術】
【０００２】
作業者の位置を特定するシステムが知られている。例えば、特許文献１では、放射線取扱施設内で作業する作業者に端末装置である携帯装置が携帯される。携帯装置から発信された電波は、複数の基地局に受信される。中央監視装置は、電波が複数の基地局に受信されたときの受信強度に基づいて携帯装置の位置（すなわち、作業者の位置）を特定する。
【先行技術文献】
【特許文献】
【０００３】
【特許文献１】特開２００３−１４８４７号公報
【発明の概要】
【発明が解決しようとする課題】
【０００４】
特許文献１では、携帯装置が発信した電波を複数の基地局が受信したときの受信強度に基づいて、作業者の位置が特定される。しかし、室内から発信された電波の状態は、悪い。また、受信強度に基づいて作業者の位置を算出する方法は、複雑な演算が必要である。
【０００５】
本発明の目的は、容易に端末装置の位置を特定することである。
【課題を解決するための手段】
【０００６】
本発明の一態様に係る照明装置が提供される。端末装置と通信する照明装置は、前記照明装置の位置情報を記憶する記憶部と、前記位置情報が含まれている可視光を出力する出力部と、前記位置情報を受信した前記端末装置が出力した、前記端末装置を示す装置情報が含まれている赤外線を受信する受信部と、を有する。
【発明の効果】
【０００７】
本発明によれば、容易に端末装置の位置を特定できる。
【図面の簡単な説明】
【０００８】
【図１】実施の形態１の位置特定システムを示す図である。
【図２】実施の形態１の照明装置が有する主なハードウェア構成を示す図である。
【図３】実施の形態１の照明装置と端末装置を示す図である。
【図４】実施の形態１の照明装置と端末装置の構成を示す機能ブロック図である。
【図５】実施の形態２の位置特定システムを示す図である。
【図６】実施の形態２の照明装置とモニタリングポストの構成を示す機能ブロック図である。
【図７】実施の形態２の空間グラフを示す図である。
【図８】実施の形態３の位置特定システムを示す図である。
【発明を実施するための形態】
【０００９】
以下、図面を参照しながら実施の形態を説明する。以下の実施の形態は、例にすぎず、本発明の範囲内で種々の変更が可能である。
【００１０】
実施の形態１．
図１は、実施の形態１の位置特定システムを示す図である。図１は、建物１０内の天井に照明装置１００，１０１が設置されている状態を示している。照明装置は、光照射装置と表現してもよい。照明装置の数は、２つに限らない。照明装置１００は、第１の照明装置とも言う。照明装置１０１は、第１の照明装置又は第２の照明装置とも言う。
【００１１】
図１では、建物１０内で複数の作業者が作業している状態を示している。複数の作業者のそれぞれは、端末装置を装着している。図１では、端末装置を省略している。監視装置３００は、監視監督者が使用する装置である。監視装置３００は、ハブ１１を介して照明装置１００，１０１と通信する。
位置特定システムは、照明装置１００、及び作業者に装着されている端末装置を含む。また、位置特定システムには、監視装置３００が含まれてもよい。照明装置１００、及び作業者に装着されている端末装置は、位置特定方法を実行する。
【００１２】
次に、照明装置１００の主なハードウェア構成について説明する。
図２は、実施の形態１の照明装置が有する主なハードウェア構成を示す図である。照明装置１００は、プロセッサ１００ａ、揮発性記憶装置１００ｂ、及び不揮発性記憶装置１００ｃを有する。
【００１３】
プロセッサ１００ａは、照明装置１００全体を制御する。例えば、プロセッサ１００ａは、ＣＰＵ（Ｃｅｎｔｒａｌ  Ｐｒｏｃｅｓｓｉｎｇ  Ｕｎｉｔ）、又はＦＰＧＡ（Ｆｉｅｌｄ  Ｐｒｏｇｒａｍｍａｂｌｅ  Ｇａｔｅ  Ａｒｒａｙ）などである。プロセッサ１００ａは、マルチプロセッサでもよい。照明装置１００は、処理回路によって実現されてもよく、又は、ソフトウェア、ファームウェア若しくはそれらの組み合わせによって実現されてもよい。なお、処理回路は、単一回路又は複合回路でもよい。
【００１４】
揮発性記憶装置１００ｂは、照明装置１００の主記憶装置である。例えば、揮発性記憶装置１００ｂは、ＲＡＭ（Ｒａｎｄｏｍ  Ａｃｃｅｓｓ  Ｍｅｍｏｒｙ）である。不揮発性記憶装置１００ｃは、照明装置１００の補助記憶装置である。例えば、不揮発性記憶装置１００ｃは、ＳＳＤ（Ｓｏｌｉｄ  Ｓｔａｔｅ  Ｄｒｉｖｅ）である。
【００１５】
照明装置１０１、作業者に装着されている端末装置、及び監視装置３００は、照明装置１００と同様に、プロセッサ、揮発性記憶装置、及び不揮発性記憶装置を有する。
【００１６】
図３は、実施の形態１の照明装置と端末装置を示す図である。図３は、照明装置１００と端末装置２００を示している。また、図３は、端末装置２００が作業者に装着されている状態を示している。端末装置２００は、天井に向けて作業者に装着される。
【００１７】
ここで、照明装置１００から端末装置２００への通信を下り通信とする。端末装置２００から照明装置１００への通信を上り通信とする。端末装置２００は、下り通信において照明装置１００が出力する可視光を受信する。端末装置２００は、上り通信においては情報を含む赤外線を照明装置１００に出力する。すなわち、照明装置１００は、可視光を出力して、端末装置２００と可視光通信を行う。また、端末装置２００は、赤外線を出力して、照明装置１００と赤外線通信を行う。このように、照明装置１００と端末装置２００は、異なる波長を使って、通信を行うことで干渉が生じるのを防止できる。
【００１８】
照明装置１００は、出力部１１０と受信部１２０とを有する。端末装置２００は、通信装置２１０、表示装置２２０、及びケーブル２３０を有する。例えば、作業者は、通信装置２１０と表示装置２２０とをベルトで腕に固定する。通信装置２１０と表示装置２２０とは、１つの装置で実現してもよい。
【００１９】
通信装置２１０は、受信部２１１と出力部２１２とを有する。受信部２１１は、出力部１１０が出力した可視光を受信する。出力部２１２は、赤外線を出力する。赤外線は、受信部１２０に受信される。
また、作業者は、建物１０内を自由に動き回る。そのため、作業者が異なる照明装置に照らされる領域に移動する度に端末装置２００と通信する照明装置は、切り替わる。
【００２０】
図４は、実施の形態１の照明装置と端末装置の構成を示す機能ブロック図である。照明装置１００は、さらに、記憶部１３０と制御部１４０とを有する。通信装置２１０は、さらに、制御部２１３を有する。
出力部１１０、受信部１２０、及び制御部１４０の一部又は全部は、プロセッサ１００ａによって実現してもよい。出力部１１０、受信部１２０、及び制御部１４０の一部又は全部は、プロセッサ１００ａが実行するプログラムのモジュールとして実現してもよい。当該プログラムは、揮発性記憶装置１００ｂ又は不揮発性記憶装置１００ｃに格納される。
記憶部１３０は、揮発性記憶装置１００ｂ又は不揮発性記憶装置１００ｃに確保した記憶領域として実現される。
【００２１】
受信部２１１、出力部２１２、及び制御部２１３の一部又は全部は、端末装置２００が有するプロセッサによって実現してもよい。受信部２１１、出力部２１２、及び制御部２１３の一部又は全部は、端末装置２００が有するプロセッサが実行するプログラムのモジュールとして実現してもよい。当該プログラムは、端末装置２００が有する揮発性記憶装置又は不揮発性記憶装置に格納される。
監視装置３００は、ハブ１１を介して、照明装置１００，１０１と接続する。例えば、ハブ１１と照明装置１００，１０１とは、ＬＡＮ（Ｌｏｃａｌ  Ａｒｅａ  Ｎｅｔｗｏｒｋ）、又はＰＬＣ（Ｐｏｗｅｒ  Ｌｉｎｅ  Ｃｏｍｍｕｎｉｃａｔｉｏｎｓ）で接続する。
【００２２】
監視装置３００は、照明装置１００，１０１に様々な情報を送信する。例えば、様々な情報とは、照明装置１００，１０１の近くに存在する作業者の情報の取得指示、又は監視監督者が作業者に対する指示などである。また、監視装置３００は、照明装置１００，１０１から様々な情報を受信する。
照明装置１００と照明装置１０１は、同じ機能を有する。そこで、図４では、照明装置１００の機能を説明し、照明装置１０１の機能の説明を省略する。
【００２３】
記憶部１３０は、建物１０内における照明装置１００の位置情報を記憶する。制御部１４０は、記憶部１３０から位置情報を取得する。出力部１１０は、制御部１４０が取得した位置情報が含まれている可視光を出力する。例えば、可視光は、ＬＥＤ（Ｌｉｇｈｔ  Ｅｍｉｔｔｉｎｇ  Ｄｉｏｄｅ）照明の可視光である。また、出力部１１０は、監視装置３００が送信した情報が含まれている可視光を出力することもできる。
【００２４】
照明装置１０１など異なる照明装置の出力部から出力される可視光と区別するために、制御部１４０は、ＬＥＤの発光タイミングを照明装置毎に制御してもよい。また、制御部１４０は、ＬＥＤの発光強度と変調方法を照明装置毎に制御してもよい。
受信部１２０は、情報が含まれている赤外線を端末装置２００から受信する。制御部１４０は、当該情報を監視装置３００に送信することができる。
【００２５】
なお、記憶部１３０は、位置情報でなく照明装置１００の固有ＩＤ（ｉｄｅｎｔｉｆｉｅｒ）を記憶してもよい。そして、監視装置３００は、当該固有ＩＤと建屋１０内における照明装置１００の位置情報との対応表を記憶してもよい。この時、照明装置１００又は端末装置２００は、監視装置３００に問い合わせれば固有ＩＤから位置情報を取得できる。
【００２６】
通信装置２１０の機能を説明する。受信部２１１は、照明装置１００の位置情報が含まれている可視光を照明装置１００の出力部１１０から受信する。制御部２１３は、可視光から照明装置１００の位置情報を抽出する。これにより、通信装置２１０は、端末装置２００の位置を検出できる。
制御部２１３は、照明装置１００の位置情報を表示装置２２０に送信する。照明装置１００の位置情報は、ケーブル２３０を介して、表示装置２２０に出力される。表示装置２２０は、照明装置１００の位置情報を表示する。これにより、端末装置２００を装着している作業者は、現在位置を認識できる。
【００２７】
出力部２１２は、制御部２１３が抽出した照明装置１００の位置情報と、端末装置２００のＩＤとが含まれている赤外線を照明装置１００の受信部１２０に出力する。端末装置２００のＩＤは、端末装置２００を示す装置情報とも言う。また、出力部２１２は、端末装置２００のＩＤに代えて、通信装置２１０のＩＤが含まれている赤外線を照明装置１００の受信部１２０に出力してもよい。さらに、出力部２１２は、端末装置２００のＩＤのみが含まれている赤外線を照明装置１００の受信部１２０に出力してもよい。
【００２８】
また、出力部２１２は、照明装置１００の位置情報などの情報以外の情報が含まれている赤外線を照明装置１００の受信部１２０に出力することができる。例えば、出力部２１２は、表示装置２２０が送信した情報が含まれている赤外線を照明装置１００の受信部１２０に出力する。
表示装置２２０は、通信装置２１０から受信した情報を表示装置２２０の画面に表示することができる。また、表示装置２２０は、通信装置２１０から受信した情報を音声出力することもできる。
【００２９】
作業者は、作業指示に対する応答、又は作業内容の質問などを表示装置２２０に入力する。例えば、入力方法は、表示装置２２０が有するマイクに向かって発話するなどがある。表示装置２２０は、入力された内容をテキストデータ又は命令コードなどの情報に変換する。表示装置２２０は、変換した情報を通信装置２１０に送信する。通信装置２１０は、変換された情報が含まれている赤外線を照明装置１００の受信部１２０に出力する。照明装置１００は、変換された情報を監視装置３００に送信する。このように、監視監督者と作業者は、電波の使用が制限される建物１０内で可視光と赤外線を用いた双方向通信が行われることで、お互いに連絡をとることができる。そして、監視監督者と作業者は、情報を共有して作業をすすめることができる。
【００３０】
ここで、監視装置３００が端末装置２００を装着している作業者の位置情報を取得するまでを簡単に説明する。
監視装置３００は、照明装置１００の近くに存在する作業者の情報の取得指示を照明装置１００に送信する。出力部１１０は、照明装置１００の位置情報が含まれている可視光を出力する。
【００３１】
受信部２１１は、照明装置１００の位置情報が含まれている可視光を照明装置１００の出力部１１０から受信する。制御部２１３は、可視光から照明装置１００の位置情報を抽出する。制御部２１３は、照明装置１００の位置情報を表示装置２２０に送信する。また、出力部２１２は、照明装置１００の位置情報と、端末装置２００のＩＤとが含まれている赤外線を照明装置１００の受信部１２０に出力する。
【００３２】
受信部１２０は、照明装置１００の位置情報と、端末装置２００のＩＤとが含まれている赤外線を受信する。制御部１４０は、照明装置１００の位置情報と、端末装置２００のＩＤを監視装置３００に送信する。また、制御部１４０は、端末装置２００が出力した赤外線に端末装置２００のＩＤのみが含まれている場合、記憶部１３０に格納されている照明装置１００の位置情報を取得する。そして、制御部１４０は、照明装置１００の位置情報と、端末装置２００のＩＤを監視装置３００に送信する。
【００３３】
これにより、監視監督者は、照明装置１００が設置された天井の位置に対応する建物１０内の地上の位置に端末装置２００が存在することを把握できる。すなわち、監視監督者は、端末装置２００を装着している作業者の位置を把握できる。また、監視監督者は、端末装置２００を装着している作業者の位置を把握することで、より効率の良い作業を作業者に指示できる。
【００３４】
次に、端末装置２００が複数の照明装置の間に存在する場合を説明する。この場合、端末装置２００は、複数の照明装置から位置情報を受信する。すなわち、受信部２１１は、複数の照明装置から照射される可視光を受信する。制御部２１３は、複数の照明装置から照射される可視光のそれぞれの受信強度を算出する。制御部２１３は、最も強い受信強度の可視光から抽出した位置情報を現在位置と判定する。端末装置２００は、可視光の受信強度から現在位置を算出することで、電波強度による位置検出よりも高精度に位置を検出できる。また、端末装置２００は、最も強い受信強度の可視光を出力した照明装置に、端末装置２００のＩＤと位置情報とが含まれている赤外線を出力する。
【００３５】
また、制御部２１３は、可視光の受信強度から各照明装置と通信装置２１０との距離を算出し、三点測位などで現在位置を特定してもよい。これにより、端末装置２００は、照明装置が建物１０内の天井に設置される間隔より高精度の位置を検出できる。
可視光は、指向性が強く回り込みが発生しにくい。そのため、可視光の受信強度から得られる照明装置と作業者との距離は、電波の受信強度から得られる距離より精度が高い。よって、端末装置２００は、電波強度による位置検出よりも高精度に位置を検出できる。
【００３６】
なお、通信装置２１０の装着具合によっては、通信装置２１０が傾いている場合も考えられる。この場合、受信部２１１は、常に上を向く駆動機構を有してもよい。言い換えれば、受信部２１１は、受信部２１１の光検知面（すなわち、受光面）を上方向（例えば、重力方向の反対方向）に向ける機構を有してもよい。受信部２１１は、駆動機構を有することで、可視光を受信し易くなる。
【００３７】
また、受信部２１１が駆動機構を有していない場合、制御部２１３は、センサなどから通信装置２１０の傾きを検知し、傾きに応じた位置情報の信頼度情報を作業者又は監視監督者に通知してもよい。なお、例えば、センサなどとは、加速度センサ又はカメラである。
制御部２１３は、傾きを考慮して位置を算出してもよい。また、受信部２１１は、受信部２１１が傾いた場合、複数の照明装置が出力した可視光の受信強度が全体的に低下することから、受信強度から傾きを検知してもよい。
【００３８】
実施の形態１は、複数名の作業者が複数の部屋に分かれて作業する場合でも、可視光と赤外線による通信を用いることで、監視監督者と複数の作業者がお互いに連絡を取りながら作業を進めることができる。
【００３９】
可視光は、電波より指向性が強い。そのため、可視光に含まれる位置情報は、広い範囲で受信されない。よって、照明装置１００が出力した可視光を受信する端末装置２００は、照明装置１００が設置された天井の位置に対応する建物１０内の地上の位置に存在すると言える。照明装置１００は、照明装置１００が出力した可視光を受信する端末装置２００が出力した赤外線（すなわち、端末装置２００のＩＤ）を受信することで、端末装置２００の位置を特定できる。また、照明装置１００は、照明装置１００の位置情報と、端末装置２００のＩＤを取得することで、照明装置１００が設置された天井の位置に対応する建物１０内の地上の位置に端末装置２００が存在することをより確実に特定できる。
【００４０】
このように、照明装置１００及び端末装置２００は、複雑な演算を行わずに、端末装置２００の位置を特定できる。また、照明装置１００は、複雑な演算を行わずに、端末装置２００を装着している作業者の位置を特定できる。よって、実施の形態１は、複雑な演算を行わずに、容易に位置を特定することができる。
【００４１】
実施の形態１では、照明装置１００が可視光を出力し、端末装置２００が赤外線を出力する場合を説明した。しかし、照明装置１００は、可視光に代えて、赤外線を出力してもよい。また、端末装置２００は、可視光を出力してもよい。また、端末装置２００は、Ｂｌｕｅｔｏｏｔｈ（登録商標）を用いて、端末装置２００のＩＤと照明装置１００の位置情報とを照明装置１００に送信してもよい。ただし、照明装置１００と端末装置２００は、異なる波長を使って、通信を行う。
【００４２】
実施の形態２．
次に、実施の形態２を説明する。実施の形態１と相違する事項を主に説明し、実施の形態１と共通する事項の説明を省略する。実施の形態２の説明では、図１，２，４を参照する。
【００４３】
図５は、実施の形態２の位置特定システムを示す図である。図５は、建物１０内の天井に照明装置１００，１０１，１０２，１０３が設置されている状態を示している。図５は、モニタリングポスト４００，４０１，４０２，４０３が建物１０内に配置されている状態を示している。モニタリングポストは、端末装置とも言う。また、モニタリングポストは、環境監視装置と表現してもよい。モニタリングポスト４００〜４０３は、放射線量、浮遊粒子状物質の濃度であるＰＭ２．５濃度、又はアスベスト粒子量（飛散量）などをリアルタイムで計測する。
【００４４】
図６は、実施の形態２の照明装置とモニタリングポストの構成を示す機能ブロック図である。図４に示される構成と同じ又は対応する図６の構成は、図４に示される符号と同じ符号を付している。図６では、照明装置１０１〜１０３、及びモニタリングポスト４０１〜４０３の図示を省略している。また、モニタリングポスト４００〜４０３は、同じ機能を有する。そこで、図６では、モニタリングポスト４００の機能を説明し、モニタリングポスト４０１〜４０３の機能の説明を省略する。
【００４５】
モニタリングポスト４００は、通信部４１０、環境測定部４２０、及び通信線４３０を有する。通信部４１０は、受信部４１１、出力部４１２、及び制御部４１３を有する。
受信部４１１、出力部４１２、制御部４１３、及び環境測定部４２０の一部又は全部は、モニタリングポスト４００が有するプロセッサによって実現してもよい。受信部４１１、出力部４１２、制御部４１３、及び環境測定部４２０の一部又は全部は、モニタリングポスト４００が有するプロセッサが実行するプログラムのモジュールとして実現してもよい。当該プログラムは、モニタリングポスト４００が有する揮発性記憶装置又は不揮発性記憶装置に格納される。また、環境測定部４２０の一部は、放射線量、ＰＭ２．５濃度、又はアスベスト粒子量などを計測するセンサで実現される。
【００４６】
環境測定部４２０が計測した結果を環境情報と言う。また、環境情報は、モニタリングポスト４００の周辺の環境状態を示す情報と表現してもよい。
【００４７】
ここで、監視装置３００が環境情報を取得するまでを説明する。監視装置３００は、モニタリングポスト４００の上に存在する照明装置１００にデータ収集指示を送信する。
制御部１４０は、照明装置１００の位置情報を記憶部１３０から取得する。出力部１１０は、照明装置１００の位置情報及びデータ収集指示が含まれている可視光を出力する。出力部１１０は、データ収集指示のみが含まれている可視光を出力してもよい。
【００４８】
受信部４１１は、照明装置１００の位置情報及びデータ収集指示が含まれている可視光を照明装置１００の出力部１１０から受信する。制御部４１３は、可視光から照明装置１００の位置情報及びデータ収集指示を抽出する。制御部４１３は、通信線４３０を介して、データ収集指示を環境測定部４２０に送信する。環境測定部４２０は、モニタリングポスト４００の周辺の環境状態を測定する。例えば、環境測定部４２０は、放射線量、ＰＭ２．５濃度、又はアスベストの飛散量を計測する。また、環境測定部４２０が計測する対象は、放射線量、ＰＭ２．５濃度、又はアスベストの飛散量に限らない。環境測定部４２０は、環境情報を通信部４１０に送信する。出力部４１２は、照明装置１００の位置情報、モニタリングポスト４００のＩＤ、及び環境情報が含まれている赤外線を照明装置１００の受信部１２０に出力する。また、出力部４１２は、モニタリングポスト４００のＩＤ及び環境情報が含まれている赤外線を照明装置１００の受信部１２０に出力してもよい。
【００４９】
受信部１２０は、照明装置１００の位置情報、モニタリングポスト４００のＩＤ、及び環境情報が含まれている赤外線を受信する。これにより、照明装置１００は、環境情報を監視装置３００に送信できる。制御部１４０は、照明装置１００の位置情報、モニタリングポスト４００のＩＤ、及び環境情報を監視装置３００に送信する。
【００５０】
これにより、監視装置３００は、モニタリングポスト４００の位置における環境状態を検出することができる。また、監視装置３００は、収集したい位置の環境情報をピンポイントで収集できる。
【００５１】
建物１０内で作業する作業者は、モニタリングポスト４００の位置を変えることができる。モニタリングポスト４００の位置が変更しても、モニタリングポスト４００の上方に設置されている照明装置は、モニタリングポスト４００から環境情報を取得することができる。
【００５２】
また、モニタリングポスト４００〜４０３は、建物１０内に分散して配置されている。そのため、モニタリングポスト４００〜４０３は、モニタリングポスト間の環境状態を計測することができない。しかし、監視装置３００は、モニタリングポスト４００〜４０３から取得した環境情報に基づいて計測できなかった空間の環境状態を推定できる。詳細には、監視装置３００は、モニタリングポスト４００〜４０３から取得した環境情報を補間して計測できなかった空間の環境状態を推定する。例えば、監視装置３００は、モニタリングポスト４００〜４０３から取得した環境情報とスプライン関数とを用いて計測できなかった空間の環境状態を推定する。
【００５３】
図７は、実施の形態２の空間グラフを示す図である。図７は、監視装置３００がモニタリングポスト４００〜４０３から取得した環境情報に基づいてモニタリングポスト４００〜４０３が計測できなかった空間の放射線量を示した空間グラフである。図７では、放射線量の測定位置をモニタリングポスト４００〜４０３が設置されている面のｘｙ直交座標系で示している。図７において、ｘ軸とｙ軸に直交する縦軸は、放射線量を示している。
【００５４】
また、監視装置３００は、ＰＭ２．５濃度又はアスベストの飛散量なども同様に空間グラフを用いて表現できる。さらに、監視装置３００は、環境情報に基づいて、空間の埃の度合い、ＰＭ２．５濃度の環境分布、放射線の線量分布、温度分布、湿度分布、大気圧分布、酸素濃度分布、有毒ガス濃度分布などを算出することもできる。監視装置３００は、位置情報と環境情報とを組み合わせて管理してもよい。これにより、監視監督者は、人体に対して有害なレベルまで達した位置を把握し、作業者に侵入を制限するなどの対策を講じることができる。
【００５５】
また、監視装置３００がモニタリングポストのＩＤと、モニタリングポストの設置位置とを予め記憶している場合、モニタリングポスト４００〜４０３は、定期的に、モニタリングポストのＩＤと環境情報とを上方の照明装置に送信してもよい。監視装置３００は、予め記憶しているモニタリングポストのＩＤと、照明装置を介して受信したモニタリングポストのＩＤとを比較することで、モニタリングポストの設置位置を判定できる。そして、監視装置３００は、照明装置を介して受信した環境情報に基づいて、空間グラフを作成する。これにより、監視装置３００は、データ収集指示を送信せずに空間グラフを作成できる。
【００５６】
なお、モニタリングポスト４００〜４０３は、上方の照明装置から受信した位置情報を格納し、定期的に、環境情報と位置情報とを上方の照明装置に送信してもよい。監視装置３００は、照明装置を介して受信した環境情報に基づいて、空間グラフを作成する。これにより、監視装置３００は、データ収集指示を送信せずに空間グラフを作成できる。
【００５７】
実施の形態２によれば、照明装置１００は、モニタリングポスト４００の周辺の環境状態を示す環境情報を取得できる。また、監視装置３００は、照明装置１００から環境情報を取得することで、モニタリングポスト４００の周辺の環境状態を検出できる。監視装置３００は、照明装置１００から取得した環境情報を、照明装置１００を介して、実施の形態１のように端末装置２００を装着している作業者に環境情報を提供してもよい。
【００５８】
監視装置３００は、モニタリングポスト４００の設置位置を知らなくても、モニタリングポスト４００の上方に設置されている照明装置１００にデータ収集指示を送信することで、モニタリングポスト４００の周辺の環境状態をピンポイントで取得できる。照明装置１００は、可視光が受信できる範囲に設置されているモニタリングポストにデータ収集指示を送信することになるので、当該範囲外のモニタリングポストにデータ収集指示を送信しなくて済む。
【００５９】
また、モニタリングポスト４００が移動した場合でも、モニタリングポスト４００の上方に設置されている照明装置は、モニタリングポスト４００の周辺の環境状態を示す環境情報を取得できる。
【００６０】
実施の形態３．
次に、実施の形態３を説明する。実施の形態１と相違する事項を主に説明し、実施の形態１と共通する事項の説明を省略する。実施の形態３の説明では、図１〜４を参照する。
実施の形態３は、作業者の入退場を管理する位置特定システムについて説明する。
【００６１】
図８は、実施の形態３の位置特定システムを示す図である。例えば、照明装置１００，１０１は、建物１０内の入退場口付近の天井に設置される。また、照明装置１００，１０１は、作業者が入退場する際、照明装置１００，１０１が出力する可視光を順番に照射されるように設置される。照明装置１００は、入退場口の近い方に設置される。照明装置１０１は、入退場口から照明装置１００よりも遠い位置に設置される。すなわち、照明装置１０１は、入退場口から遠い方に設置される。
【００６２】
また、照明装置１００，１０１の設置を次のように表現してもよい。照明装置１０１は、入退場口における作業者の動線に基づいて設置される。照明装置１０１は、入退場口から照明装置１００よりも遠い位置に設置され、かつ入退場口における作業者の動線に基づいて設置される。
【００６３】
図８では、図示を省略しているが、作業者は端末装置２００を装着している。端末装置２００は、照明装置１００の下方に存在する場合、照明装置１００の位置情報が含まれている可視光を受信することで、照明装置１００の位置情報を取得することができる。ここで、照明装置１００の位置情報が含まれている可視光を第１の可視光とも言う。
【００６４】
また、端末装置２００は、照明装置１０１の下方に存在する場合、照明装置１０１の位置情報が含まれている可視光を受信することで、照明装置１０１の位置情報を取得することができる。ここで、照明装置１００の位置情報が含まれている可視光を第２の可視光とも言う。
【００６５】
端末装置２００の制御部２１３は、照明装置１００が出力した可視光を受信部２１１が受信した後に、照明装置１０１が出力した可視光を受信部２１１が受信した場合、端末装置２００を装着している作業者が入場したと判定する。すなわち、端末装置２００は、照明装置１００の位置情報を取得した後に照明装置１０１の位置情報を取得した場合、端末装置２００を装着している作業者が入場したと判定する。端末装置２００は、照明装置１０１の位置情報、端末装置２００のＩＤ、及び作業者が入場したことを示す入場情報が含まれている赤外線を照明装置１０１に出力する。照明装置１０１は、照明装置１０１の位置情報、端末装置２００のＩＤ及び入場情報を監視装置３００に送信する。これにより、監視装置３００を利用する監視監督者は、端末装置２００を装着している作業者が建物１０内に入場したことを認識できる。
【００６６】
また、端末装置２００の制御部２１３は、照明装置１０１が出力した可視光を受信部２１１が受信した後に、照明装置１００が出力した可視光を受信部２１１が受信した場合、端末装置２００を装着している作業者が退場したと判定する。すなわち、端末装置２００は、照明装置１０１の位置情報を取得した後に照明装置１００の位置情報を取得した場合、端末装置２００を装着している作業者が退場したと判定する。端末装置２００は、照明装置１００の位置情報、端末装置２００のＩＤ、及び作業者が退場したことを示す退場情報が含まれている赤外線を照明装置１００の受信部１２０に出力する。照明装置１００は、照明装置１００の位置情報、端末装置２００のＩＤ及び退場情報を監視装置３００に送信する。これにより、監視装置３００を利用する監視監督者は、端末装置２００を装着している作業者が建物１０から退場したことを認識できる。
【００６７】
端末装置２００は、作業者の入退場の情報と日時を示す情報とを組み合わせて履歴として管理してもよい。これにより、作業者は、表示装置２２０に履歴を表示させることで、入退場をした日時を把握することができる。
【００６８】
実施の形態３によれば、監視監督者は、端末装置２００を装着している作業者の入退場を認識できる。また、監視監督者は、入退場の情報から健康に害を及ぼさない範囲で作業をしているか否かを監視することができる。
また、実施の形態３では、作業者に端末装置２００が装着している場合を例示した。実施の形態３は、物体に端末装置２００が装着している場合にも適用できる。
【００６９】
以上に説明した各実施の形態における特徴は、互いに適宜組み合わせることができる。
【符号の説明】
【００７０】
１０  建物、  １１  ハブ、  １００，１０１，１０２，１０３  照明装置、  １１０  出力部、  １２０  受信部、  １３０  記憶部、  １４０  制御部、  ２００  端末装置、  ２１０  通信装置、  ２１１  受信部、  ２１２  出力部、  ２１３  制御部、  ２２０  表示装置、  ２３０  ケーブル、  ３００  監視装置、  ４００，４０１，４０２，４０３  モニタリングポスト、  ４１０  通信部、  ４１１  受信部、  ４１２  出力部、  ４１３  制御部、  ４２０  環境測定部。
【図１】
2019140062.tif 000003
【図２】
2019140062.tif 000004
【図３】
2019140062.tif 000005
【図４】
2019140062.tif 000006
【図５】
2019140062.tif 000007
【図６】
2019140062.tif 000008
【図７】
2019140062.tif 000009
【図８】
2019140062.tif 000010